(57)【要約】【課題】平常時は壁面全体が遮蔽壁をなして消波防音壁として有効に機能すると共に、波の衝撃が強いときは、防音壁の下部に波浪衝撃回避用開口部を容易かつ迅速に形成することができ、この開口部により一時的に高波を内陸側に逃がすことで防音パネル全体に波浪衝撃が及ぶのを回避する。【解決手段】Ｈ形材からなる左右の支柱３におけるフランジにの上部パネル収納ガイド１４が形成され、その下方に波浪衝撃回避用開口部６が形成され、支柱３の下部に波浪衝撃回避用開口部６を開閉する下部防音パネル５ｂを上方から挿入・脱嵌できるパネル収納ガイド７がＨ形材で構成されている。【選択図】  図２
2004218200.tif 000002
【特許請求の範囲】
【請求項１】
間隔をあけて立設した支柱の間に防音パネルを取り付けてなる防音壁であって、防音壁は前記支柱に固定的に設置される上部防音パネルと、上部防音パネルの下部位置に設けられると共に、支柱下部に沿って設けられた下部パネル収納ガイドに収納される下部防音パネルとからなり、下部防音パネルを前記収納ガイドに上方から挿入・脱嵌することで防音壁の下部に波浪衝撃回避用開口部を開閉自在に構成したことを特徴とする波浪衝撃回避防音壁。
【請求項２】
前記支柱はＨ形材からなり、上部防音パネルは、左右の支柱におけるフランジ内に形成される上部パネル収納ガイドに収納されて、そのパネル下端部はフランジ内に設けた支持板で支持されると共に、下部パネル収納ガイドは、前記支柱に設けられるＨ形材からなり、該下部パネル収納ガイドの上部から下部防音パネルを落し込むことによって波浪衝撃回避用開口部を開閉可能に構成したことを特徴とする請求項１記載の波浪衝撃回避防音壁。
【発明の詳細な説明】
【０００１】
【発明の属する技術分野】
本発明は、波浪衝撃回避防音壁に関するものである。
【０００２】
【従来の技術】
海岸の波打ち際の道路に設置される防音壁に関する技術については、例えば、登録実用新案３０１４７１０号「消波消音装置」（特許文献１参照）がある。この従来技術は、海岸の道路に設置される消波と消音とを兼ね備えた装置（壁体）、線状ポリプロピレンの消音材を用い、消波用としている。この従来技術以外には、波浪の衝撃を緩和する防音壁は見当たらない。
【０００３】
また、道路の防音壁において、パネルを回転させることによって、風圧を軽減する機構にかかわる特許、先願技術は多数ある。例えば、防音壁の下部のパネルを、その上部のパネルを外すことなく、取替えの必要なパネルのみを取り外せるようにしたものとして、特許第２５４１７２９号「防音パネル」（特許文献２）と特開平１１−３０３０２６号「前面着脱式防音板」（特許文献３）がある。この２つの従来技術は、いずれも防音壁を構成するパネルが破損したときに、上側の防音パネルを外すことなく、取替えが必要な防音パネルのみを取り外せるようにした構造である。
【０００４】
【特許文献１】
登録実用新案３０１４７１０号公報
【特許文献２】
特許第２５４１７２９号公報
【特許文献３】
特開平１１−３０３０２６号公報
【０００５】
【発明が解決しようとする課題】
消波消音壁または防音壁に関しては、特許文献１〜３の従来技術があるが、これらは、本発明とは課題を異にすると共に、海からの波の衝撃に耐えられる構造となっていないために破損する恐れが多かった。特に波浪衝撃回避防音壁において、本発明が提案する、防音壁の下部のパネルを可動的に設けることによって、波浪衝撃回避用開口部を開閉自在に形成する波浪衝撃回避防音壁は従来存在していない。
【０００６】
本発明は、前記の課題を解決した波浪衝撃回避防音壁を提供することを目的とする。
【０００７】
【課題を解決するための手段】
前記の目的を達成するため、本発明は次のように構成する。
【０００８】
第１の発明は、間隔をあけて立設した支柱の間に防音パネルを取り付けてなる防音壁であって、防音壁は前記支柱に固定的に設置される上部防音パネルと、上部防音パネルの下部位置に設けられると共に、支柱下部に沿って設けられた下部パネル収納ガイドに収納される下部防音パネルとからなり、下部防音パネルを前記収納ガイドに上方から挿入・脱嵌することで防音壁の下部に波浪衝撃回避用開口部を開閉自在に構成したことを特徴とする。
【０００９】
第２の発明は、第１の発明における前記支柱はＨ形材からなり、上部防音パネルは、左右の支柱におけるフランジ内に形成される上部パネル収納ガイドに収納されて、そのパネル下端部はフランジ内に設けた支持板で支持されると共に、下部パネル収納ガイドは、前記支柱に設けられるＨ形材からなり、該下部パネル収納ガイドの上部から下部防音パネルを落し込むことによって波浪衝撃回避用開口部を開閉可能に構成したことを特徴とする。
【００１０】
【作用】
本発明に係る波浪衝撃回避防音壁によると、平常時は壁面全体が消波、防音壁体として有効に機能すると共に、台風時や満潮時など波が高く防音壁への波浪の衝撃が大きいときは、下部防音パネルをクレーンなどを用いて引き上げ、防音壁のパネル収納ガイドから抜脱することにより、波浪衝撃回避用開口部を容易かつ迅速に形成することができ、この開口部により一時的に高波を内陸側に逃がすことで防音パネル全体に波浪衝撃が及ぶのを回避することができる。
【００１１】
【発明の実施の形態】
以下、本発明の実施形態を図を参照して説明する。
【００１２】
図１は、実施形態に係る波浪衝撃回避用の防音壁１の内陸側２側から見た斜視図、図２（ａ）は、同じく防音壁１の内陸側２側から見た正面図、（ｂ）は、同図（ａ）の縦断側面図、図３（ａ）は、図２（ａ）の部分拡大図、図３（ｂ）は、同図（ａ）の縦断側面図、図４は、図３（ｂ）の（Ａ）部の斜視図、図４は、同（Ａ）部の横断平面図である。図２（ｂ）、図３（ｂ）において、防音壁１を隔てて内陸側２と反対側が海側９である。
【００１３】
防音壁１において、所定間隔でＨ形材からなる支柱３が所定間隔でコンクリート基礎４に立設されており、隣り合って立設された支柱３におけるフランジ内に複数の横長の長方形の吸音板からなる防音パネル５の両端部が収納保持され、多段に積載されて防音壁を構成している。各防音パネル５は、有孔鋼板からなる前面板と後面板とから構成した箱形被覆体の内部にグラスウールなどの吸音材を充填して構成されている。
【００１４】
本発明の防音壁１は、壁面全体を固定壁として構成するのではなく、支柱３の間に配設される防音パネル５の各列（イ）において、壁面下部の複数枚のパネルは下部可動防音パネル（以下、下部防音パネルという）５ｂとして構成し、その上方の複数枚のパネルは上部固定防音パネル（以下、上部防音パネルという）５ａとして構成する。これにより、最下段の上部防音パネル５ａの下側に、前記の下部防音パネル５ｂで開閉できる波浪衝撃回避用開口部６（図２ｂ、図３ｂに示す）を形成するものである。
【００１５】
さらに説明すると、上部防音パネル５ａは、隣り合う支柱３間に固定支持される。また、支柱３の下部後面（すなわち陸側２）には下部パネル収納ガイド７が設けられていて、この下部パネル収納ガイド７に２枚の下部防音パネル５ｂが挿入・脱嵌自在に収納されている。通常は、下部防音パネル５ｂが下部パネル収納ガイド７に収納されて波浪衝撃回避用開口部６を閉じており、台風など波の衝撃が強いときは、下部パネル収納ガイド７から下部防音パネル５ｂを脱嵌して波浪衝撃回避用開口部６を開放できるように設けてある。下部パネル収納ガイド７は、支柱３の下部前面（すなわち海側９）に設けてもよい。
【００１６】
図４、図５によって、支柱３に設ける上部パネル収納ガイド１４と下部パネル収納ガイド７の構成を説明する。各図に示すように、支柱３を構成するＨ形材はウェブ８の両端に前フランジ１０と後フランジ１１を一体形成したＨ形鋼で構成されている。また、前フランジ１０から所定間隔離れた位置において、該前フランジ１０と並行に対峙するように第１支持プレート１２がウェブ８の両側面に溶接されていて、前フランジ１０と第１支持プレート１２との間に上部パネル収納ガイド１４が構成されている。
【００１７】
前記の構成において、支柱３の上端から上部パネル収納ガイド１４に複数枚の上部防音パネル５ａを落し込む。この場合、波浪衝撃回避用開口部６の上縁の高さ位置で、前フランジ１０と第１支持プレート１２で囲まれる内側（上部パネル収納ガイド１４の下端部位）に支持板１３が溶接されていて、この支持板１３により上部防音パネル５ａが支持される。前記の構成とすることで、最下段の上部防音パネル５ａの下方に波浪衝撃回避用開口部６が形成されている。
【００１８】
また、図４、図５に示すように、Ｈ形鋼の後フランジ１１から後側に所定の間隔離れた位置に、後フランジ１１と並行に対峙するように第２支持プレート１５が設けられている。第２支持プレート１５と一体の間隔保持板１６の先端が後フランジ１１の外側面中間部に溶接されており、後フランジ１１と第２支持プレート１５との間に下部パネル収納ガイド７が構成されている。
【００１９】
図に示すように、支柱３の前フランジ１０と後フランジ１１および第１支持プレート１２は、防音壁１の上端まで延びているのに対し、下部パネル収納ガイド７を構成する第２支持プレート１５の上端は、波浪衝撃回避用開口部６の上端とほぼ同じ高さに設けてある。
【００２０】
したがって、波浪衝撃回避用開口部６の両側上縁部とほぼ同じ高さに位置する下部パネル収納ガイド７の上端からを落し込むことができ、これにより波浪衝撃回避用開口部６を閉じることができる。この下部防音パネル５ｂの１枚の重量は通常６０ｋｇ以上あり、その取扱を人手に頼るのは困難ないし危険を伴うのでクレーンなどの重機を用いて収納・引抜きをするのがよい。
【００２１】
また、図に示すように、上部防音パネル５ａと下部防音パネル５ｂは平面で前後にずれているのでその間に間隙が形成され、この間隙を閉じるように隙間隠し板１７が設けられる。すなわち、支柱３における第１支持プレート１２と後フランジ１１の間おけるウェブ８の両側面には支持ブラケット１８が溶接されていて、隣り合う支柱３の間において、第１支持プレート１２と後フランジ１１の間に沿って、下部防音パネル５の上端と上部防音パネル５ａの下端との間の位置ずれの部位に隙間隠し板１７が配設され、隙間隠し板１７の両端部が支持ブラケット１８載置され、ボルト１９にて固定されて、その隙間を閉じている。
【００２２】
本実施形態によると、波の穏やかなときは下部パネル収納ガイド７の上端からその内部に下部防音パネル５ｂを落し込んで波浪衝撃回避用開口部６を閉じている。また、台風など波の衝撃が強いときは、下部防音パネル５ｂを下部パネル収納ガイド７の上端から引き抜いて波浪衝撃回避用開口部６を開くことができる。このとき波は、開口部６を通って一時的に高波を内陸側に逃がすことで防音パネル全体に波浪衝撃が及ぶのを効果的に回避することができる。
【００２３】
なお、本発明は、実施形態で示した構成を適宜設計変更して実施することは構わない。
【００２４】
【発明の効果】
本発明に係る波浪衝撃回避防音壁によると、平常時は壁面全体が消波、防音壁体として有効に機能すると共に、台風時や満潮時など波が高く防音壁への波浪の衝撃が大きいときは、下部防音パネルをクレーンなどを用いて引き上げ、防音壁のパネル収納ガイドから抜脱することにより、波浪衝撃回避用開口部を容易かつ迅速に形成することができ、この開口部により一時的に高波を内陸側に逃がすことで防音パネル全体に波浪衝撃が及ぶのを回避できる効果がある。
【図面の簡単な説明】
【図１】本発明の実施形態に係る波浪衝撃回避防音壁の斜視図である。
【図２】（ａ）は、本発明の実施形態に係る波浪衝撃回避防音壁の正面図、（ｂ）は同図（ａ）の縦断側面図である。
【図３】（ａ）は、図２（ａ）の部分拡大図、（ｂ）は同図（ａ）の縦断面図である。
【図４】図３（ｂ）のＡ部の斜視図である。
【図５】図３（ｂ）のＡ部の横断平面詳細図である。
【符号の説明】
１  防音壁
３  支柱
４  コンクリート基礎
５  防音パネル
５ａ  上部防音パネル
５ｂ  下部防音パネル
６  波浪衝撃回避用開口部
７  下部パネル収納ガイド
８  ウェブ
１０  前フランジ
１１  後フランジ
１２  第１支持プレート
１４  上部パネル収納ガイド
１５  第２支持プレート
１６  間隔保持板
１７  隙間隠し板
１８  支持ブラケット
１９  ボルト
【図１】
2004218200.tif 000003
【図２】
2004218200.tif 000004
【図３】
2004218200.tif 000005
【図４】
2004218200.tif 000006
【図５】
2004218200.tif 000007